(57)【特許請求の範囲】
【請求項１】
内部に内容液の注出路となる空間が貫通している筒状本体と、該筒状本体の下部に位置し、外方に延びて形成されたフランジ部、フランジ部の下面から下方に延びる溶着部からなるスパウトにおいて、
前記筒状本体の上方には、筒状本体の上端から上方に行くに従ってその径を減少する、中空の円錐台状部が一体的に形成されており、該円錐台状部の上部には、弧状の破断可能な上部弱化部が形成されていると共に、円錐台状部の下部或いは筒状本体の上部には、周状の破断可能な下部弱化部が形成されており、前記円錐台状部の上端には、上部弱化部を介して、弱化部破断前において液密性を確保するように摘み部が形成されており、前記円錐台状部の斜面には、前記上部弱化部の端部と、前記下部弱化部をつなぐ破断可能な連結弱化部が形成されていることを特徴とするスパウト。
【請求項２】
前記連結弱化部が、円錐台状部分の斜面に沿って螺旋状に形成されている請求項１記載のスパウト。
【請求項３】
前記連結弱化部が、下方に延びる直線状に形成されている請求項１記載のスパウト。
【請求項４】
前記直線状の連結弱化部と共に、円錐台状部分の斜面に、前記上部弱化部から斜面の途中まで延びる破断可能な補助弱化部が形成されている請求項３記載のスパウト。
【請求項５】
前記摘み部に、下方に延びる巻取のためのリブが形成されている請求項１乃至４の何れかに記載のスパウト。
【請求項６】
前記周状の下部弱化部が、弱化部破断後に注出ノズルを形成可能な水平方向に対して傾斜した部分を有する請求項１乃至５の何れかに記載のスパウト。
【発明の詳細な説明】
【技術分野】
【０００１】
本発明は、パウチ状の包装体等に溶着して使用するスパウトに関するものであり、より詳細には、成形性に優れたワンピースタイプであり、開封操作性に優れていると共に、内容物の注出性にも優れたスパウトに関する。
【背景技術】
【０００２】
パウチ状の包装体に溶着して、包装体内の内容物を外部に注出するためのスパウトとしては、一般に別途成形されたリシール用のキャップを組み合わせて成るツーピースタイプのもの（例えば、特許文献１等）と、樹脂の一体成形によるワンピースタイプのものと（例えば、特許文献２等）が知られている。
ワンピースタイプのスパウトは、樹脂の一体成形により成形されることから、ツーピースタイプのものに比してリシール用キャップの組み合わせなどが不要であるため生産性に優れている。かかるワンピースタイプのスパウトは、注出部に形成された破断可能な弱化部を手で破断して、注出部先端を取り除くことにより、注出口を形成することにより内容物の注出が可能であり、主として洗剤やシャンプー等を内容物とする、他の容器に移して使用される詰め替え用の包装容器に使用されている。
【先行技術文献】
【特許文献】
【０００３】
【特許文献１】特開２００２−１０４４５３号公報
【特許文献２】特開２００４−２１０３２１号公報
【発明の概要】
【発明が解決しようとする課題】
【０００４】
ワンピースタイプのスパウト付容器においては、内容液を少量づつ注出して使用する場合と比較的大量を注出して使用する場合とがあるが、上述したように注出部先端を手で折り取ることにより注出口を形成するため、易開封性を確保するためには、破断される注出部先端の径が、小さいことが好ましく、その一方、注出部の径があまり小さいと内容物の注出性が損なわれるという問題がある。
従って本発明の目的は、比較的大量に注出する場合であっても、手で注出部先端を容易に折り取ることができる易開封性を備えていると共に、注出性にも優れたワンピースタイプのスパウトを提供することである。
【課題を解決するための手段】
【０００５】
本発明によれば、内部に内容液の注出路となる空間が貫通している筒状本体と、該筒状本体の下部に位置し、外方に延びて形成されたフランジ部、フランジ部の下面から下方に延びる溶着部からなるスパウトにおいて、前記筒状本体の上方には、筒状本体の上端から上方に行くに従ってその径を減少する、中空の円錐台状部が一体的に形成されており、該円錐台状部の上部には、弧状の破断可能な上部弱化部が形成されていると共に、円錐台状部の下部或いは筒状本体の上部には、周状の破断可能な下部弱化部が形成されており、前記円錐台状部の上端には、上部弱化部を介して、弱化部破断前において液密性を確保するように摘み部が形成されており、前記円錐台状部の斜面には、前記上部弱化部の端部と、前記下部弱化部をつなぐ破断可能な連結弱化部が形成されていることを特徴とするスパウトが提供される。
【０００６】
本発明のスパウトにおいては、
１．連結弱化部が、円錐台状部の斜面に沿って螺旋状に形成されていること、
２．連結弱化部が、下方に延びる直線状に形成されており、特に直線状の連結弱化部と共に、円錐台状部の斜面に、前記上部弱化部から斜面の途中まで延びる破断可能な補助弱化部が形成されていること、
３．摘み部に、下方に延びる巻取のためのリブが形成されていること、
４．周状の下部弱化部が、弱化部破断後に注出ノズルを形成可能な水平方向に対して傾斜した部分を有すること、
が好適である。
【発明の効果】
【０００７】
本発明のスパウトは、開封に際して最初に破断される注出部先端の径が小さいため、手によって容易に破断することができ、しかも注出部先端を折り取った後は、摘み部を持って弱化部の破断を容易に行うことができ、開封性に優れている。
また、注出部の上部が、下方に向かうに従って径が大きくなるように形成されているので、破断開封後に注出口となる部分の径は大きく、注出性にも優れている。
更に、上部弱化部の端部と下部弱化部をつなぐ連結弱化部が螺旋状に形成されている態様では、摘み部を回転させながら上方に引き上げることにより、弱化部を容易に破断することができ、注出口を簡単に形成することができ、開封操作性にも優れている。
更にまた、ワンピースタイプであるため、成形が容易で生産性及び経済性にも優れている。
【図面の簡単な説明】
【０００８】
【図１】本発明のスパウトの一例の正面図である。
【図２】図１に示すスパウトの側面図である。
【図３】図１に示すスパウトの背面図である。
【図４】図１に示すスパウトの上面図である。
【図５】図１に示すスパウトの下面図である。
【図６】図１に示すスパウト縦断面図である。
【図７】図１に示すスパウトのＡ−Ａ断面図である。
【図８】本発明のスパウトの他の一例の正面図である。
【図９】図８に示すスパウトの上面図である。
【図１０】図８に示すスパウトのＢ−Ｂ断面図である。
【図１１】図１に示すスパウトにリブを設けた側面図である。
【発明を実施するための形態】
【０００９】
本発明のスパウトを添付図面に沿って説明する。
図１乃至７に示す本発明のスパウト１は、概略的に言って、パウチ容器に固着される溶着部２、溶着部２の上面を覆うフランジ部３、注出口形成後注出部となる筒状本体１０、円錐台状部２０及び摘み部３０から成っている。
パウチ容器の袋体開口部（図示せず）が溶着部２に溶着固定される。また図６から明らかなように、溶着部２のほぼ中央には、開口部６が形成されており、筒状本体１０の内周面が該開口部６に連続して形成され、この開口部６及び筒状本体１０内部を通って内容液が注出される。
筒状本体１０は、円錐台状部２０を除去し、注出口を形成した後に注出部と成る部分であり、内容液を適量注出することが可能な大きさの径を有している。
【００１０】
中空の円錐台状部２０は、円錐台の下底を構成する下底部２１の部分で破断可能な下部弱化部１１を介して、筒状本体１０の上端と連結しており、円錐台の上底を構成する上底部２２の部分で破断可能な上部弱化部１２及び厚肉部２３を介して、中空の円錐台状部２０の上底部２２を液密に覆う摘み部３０と連結している。
すなわち、図１のＡ−Ａ断面図である図７から明らかなように、上底部２２の周囲の一部には厚肉部２３が形成されており、この厚肉部２３以外の部分が弧状の上部弱化部１２になっている。かかる厚肉部２３が形成されていることにより、上部弱化部１２が破断されても摘み部３０が円錐台状部２０から分離してしまうことがなく、下部弱化部１１が完全に破断されて注出口が形成されるまで、摘み部３０を把持して開封操作を行うことができるため、開封性に優れている。
【００１１】
また円錐台状部２０の斜面２５には、上部弱化部１２から下部弱化部１１をつなぐ連結弱化部２４が形成されているが、図７に示すように、厚肉部２３の一方の端部２３ａから円錐台状部２０の斜面２５に沿って螺旋状の連結弱化部２４が形成されている。
この態様のスパウトにおいては、摘み部３０を把持し、これを折り曲げて上部弱化部１２を破断した後、摘み部３０を上方に引き上げながら回転させることによって、連結弱化部２４を上方から下方に破断すると共に、下部弱化部１１を完全に破断して、円錐台状部２０を筒状本体１０から取り除くことにより、注出口を形成することができる。
【００１２】
図８乃至１０に示す本発明の他の態様のスパウトは、前述した図１乃至７に示した本発明のスパウトと基本的な構造は同じであるが、円錐台状部２０の斜面２５に沿って形成される、上部弱化部１２の一方の端部と下部弱化部１１をつなぐ連結弱化部２４が、直線状に形成されていると共に、この連結弱化部２４と平行に上部弱化部１２の他方の端部から斜面の途中まで延びる、下部弱化部１１に連結しない補助弱化部２６が、連結弱化部２４に隣接して形成されている点で図１乃至７に示した本発明のスパウトと異なっている。
図８のＢ−Ｂ断面図である図１０から明らかなように、連結弱化部２４及び補助弱化部２６はそれぞれ上部弱化部１２とつながっているが、連結弱化部２４と補助弱化部２６の間の部分においては厚肉部２３が形成されているため、摘み部３０が、上部弱化部の破断によって円錐台状部２０から分離してしまうことがないため、前述した図１乃至７に示したスパウト同様、注出口が形成されるまで、摘み部３０を把持して開封操作を行うことができる。
また補助弱化部２６の下端部２６ｂが、周方向に向いていることにより補助弱化部２６自体が下部弱化部１１まで完全に破断されることを防止することができる。
【００１３】
本発明においては、溶着部、フランジ部、筒状本体、円錐台状部、摘み部から成り、筒状本体上端と円錐台状部の間に下部弱化部、円錐台状部と摘み部の間に上部弱化部、上部弱化部と下部弱化部をつなぐ連結弱化部が円錐台状部の斜面に形成されている限り、上述した態様に限定されるものではなく、種々の変更が可能である。
例えば、図１１に示したスパウトのように、摘み部３０の把持部となる部分の下端面から外方且つ下方に延びるリブ３１を形成することができ、これにより、螺旋状の連結弱化部２４を破断してリボン状になった円錐台状部２０をこのリブ３１に巻取りながら破断することにより、より開栓性を高めることが可能になる。
また図１乃至１０に示したように、下部弱化部を軸方向に対して水平に形成するのではなく、軸方向に対して傾斜した部分を有するように形成することにより、下部弱化部を破断した後に当該部分が注出ノズルとなって、内容液の注出をより容易にすることが可能になる。
また摘み部の形状も、上方から指を引っ掛けることができるようなリング形状にすることにより、図１乃至７に示したような螺旋状の連結弱化部が形成された態様では摘み部を上方に引き上げるという簡単な操作で弱化部を容易に破断することもできる。
更に、図８乃至１０に示したスパウトにおいて、連結弱化部が軸方向に向く以外にも、斜め方向に向く直線等であってもよいし、これにより、連結弱化部の破断から下部弱化部の破断にスムーズに移行することができる。
【００１４】
上述した本発明のスパウトは、成形性や容器壁との溶着性（ヒートシール性）や弱化部の破断性等の観点から、各種のオレフィン樹脂、例えば低−、中−、或いは高密度ポリエチレン、線状低密度ポリエチレン、アイソタクティックポリプロピレン、シンジオタクティックポリプロピレン、ポリ１−ブテン、ポリ４−メチル−１−ペンテン或いはエチレン、プロピレン、１−ブテン、４−メチル−１−ペンテン等のα−オレフィン同志のランダム或いはブロック共重合体、エチレン−酢酸ビニル共重合体、エチレン−（メタ）アクリル酸共重合体、エチレン−(メタ)アクリル酸エステル共重合体、イオン架橋オレフィン共重合体（アイオノマー）などのうち、特に軟質のものを用いて、射出成形等の公知の一体成形により形成される。
【産業上の利用可能性】
【００１５】
本発明のスパウトにおいては、比較的大径の注出口を形成することができるため、注出性に優れており、比較的大容量の容器にも対応することができる。
またワンピースタイプのスパウトであるため、成形が容易で生産性が高く、しかも安価に製造することができることから、詰め替え用洗剤等の汎用品にも使用することができる。
本発明のスパウトは、パウチ等の可撓性容器に好適に使用することができる。
【符号の説明】
【００１６】
１  スパウト、２  溶着部、３  フランジ部、１０  筒状本体、１１  下部弱化部、１２  上部弱化部、２０  円錐台状部、２３  厚肉部、２４  連結弱化部、２５  斜面、２６  補助弱化部、３０  摘み部、３１  リブ。
【図１】
0005411718.tif 000002
【図２】
0005411718.tif 000003
【図３】
0005411718.tif 000004
【図４】
0005411718.tif 000005
【図５】
0005411718.tif 000006
【図６】
0005411718.tif 000007
【図７】
0005411718.tif 000008
【図８】
0005411718.tif 000009
【図９】
0005411718.tif 000010
【図１０】
0005411718.tif 000011
【図１１】
0005411718.tif 000012